(57)【要約】 【課題】ソレノイドを大型化することなく装飾部材の変位を大きく取ることができる遊技機の可動装飾部品を提供する。【解決手段】ソレノイドにより支軸７１を中心に上下動される動力伝達部材７と、動力伝達部材７によって上下方向に反転傾動されるシーソー構造の装飾部材２とを備える可動装飾部品であって、装飾部材２のシーソー軸４１の近傍に駆動軸５２を設け、動力伝達部材７には、広幅の穴部７３とを設けて、前記駆動軸５２を穴部７３に回動可能に遊嵌する。これによって、動力伝達部材７が上下動されて装飾部材２が傾動されたときに、装飾部材２の傾動の慣性により、穴部７３の一方の内壁に当接していた駆動軸５２が他方の内壁に当接するまで傾動方向に回動して、その回動した角度分装飾部材２をさらに大きく傾動させることができる。【選択図】    図８
2007089890.tif 000002
【特許請求の範囲】
【請求項１】
ソレノイドによって上下動される駆動用部材と、駆動用部材によって上下方向に反転傾動されるシーソー構造の装飾部材とを備えた遊技機の可動装飾部品であって、
装飾部材のシーソー軸の近傍に駆動軸を設け、駆動用部材には広幅の穴部を設けて、前記駆動軸をこの穴部に回動可能に遊嵌することにより、
駆動用部材が上下動されて装飾部材が反転傾動されたときに、傾動の慣性により駆動軸が穴部の中を傾動方向に回動して、その回動した角度分装飾部材をさらに大きく傾動するように構成したことを特徴とする遊技機の可動装飾部品。
【請求項２】
装飾部材の中程に、装飾部材とともに反転傾動可能な長円形の窪み部を設け、この窪み部にシーソー軸を設けるとともに、窪み部の中に転動体を装入して、
装飾部材とともに窪み部が反転傾動した時に、窪み部内の上端側に位置する転動体が下端側に転動して、装飾部材の反転傾動を確実に行うようにした請求項１に記載の遊技機の可動装飾部品。
【請求項３】
装飾部材を、シーソー軸から一方に延出する装飾アームと、この装飾アームから反対方向に延出するバランスウエイトとを有するものとした請求項１又は２の遊技機の可動装飾部品。
【請求項４】
駆動用部材を、支軸を中心に上下動する動力伝達部材と、ソレノイドのプランジャに係止される係止片とからなるものとして、
動力伝達部材には、広幅の孔部と、支軸から放射状に延出する突条部を設けるとともに、係止片には、凹状の鉤部を設けて、
前記突条部と鉤部とを係合させることにより、動力伝達部材がソレノイドによって上下動されるようにした請求項１〜３の何れかに記載の遊技機の可動装飾部品。
【発明の詳細な説明】
【技術分野】
【０００１】
本発明は、パチンコ機などの装飾に用いられる遊技機の可動装飾部品に関するものである。
【背景技術】
【０００２】
パチンコ機等の遊技機においては、遊技の興趣を盛り上げるために各種の装飾部品が配置されている。例えば、特許文献１には、透明な容器内に気体が封入され、この容器の表面の一部を接地したときに、その接地部位に向けて、放電極からの放電がなされるプラズマ管と、このプラズマ管の外部に配置されたキャラクタ模型とを備えた遊技機が開示されている。このキャラクタ模型１７には、ガラス管１５の表面に近接した場合にこの表面を接地することが可能なアース板１７Eが、金槌２６の先端に設けられている。この金槌２６は腕部１７Cの先端にピン１７Bを中心に回動可能に取付けられており、腕部１７Cの中ほどに接続されたソレノイド１８のプランジャ１８Aの進退によって、ガラス管１５の表面に対して近接又は離隔することができる。
【０００３】
ところで、上記したような構造の装飾部品において、装飾効果を高めるために金槌２６の動きを大きくする場合には、ピン１７Bとプランジャ１８Aの接続部との距離を短くするか、プランジャ１８Aの移動の距離を大きくして、金槌２６の変位を大きくする必要がある。しかし、ピン１７Bとプランジャ１８Aの接続部との距離を短くした場合には、プランジャ１８Aに大きな負荷がかかるのでソレノイド１８を大型のものにする必要がある。また、プランジャ１８Aの移動の距離を大きくする場合にも、ソレノイド１８を大型のものにする必要がある。このため、コストの上昇、消費電力の増大を招くといった問題があった。
【特許文献１】特開２００４−１２９８９２号公報  (図３)
【発明の開示】
【発明が解決しようとする課題】
【０００４】
本発明は、上記した従来の問題点に鑑み、ソレノイドを大型化することなく装飾部材の変位を大きく取ることができる遊技機の可動装飾部品を提供することを課題とする。
【課題を解決するための手段】
【０００５】
上記の課題を解決するためになされた本発明の遊技機の可動装飾部品は、
ソレノイドによって上下動される駆動用部材と、駆動用部材によって上下方向に反転傾動されるシーソー構造の装飾部材とを備えた遊技機の可動装飾部品であって、
装飾部材のシーソー軸の近傍に駆動軸を設け、駆動用部材には広幅の穴部を設けて、前記駆動軸をこの穴部に回動可能に遊嵌することにより、
駆動用部材が上下動されて装飾部材が反転傾動されたときに、傾動の慣性により駆動軸が穴部の中を傾動方向に回動して、その回動した角度分装飾部材をさらに大きく傾動するように構成したことを特徴とするものである。
【０００６】
上記した発明において、装飾部材の中程に、装飾部材とともに反転傾動可能な長円形の窪み部を設け、この窪み部にシーソー軸を設けるとともに、窪み部の中に転動体を装入して、
装飾部材とともに窪み部が反転傾動した時に、窪み部内の上端側に位置する転動体が下端側に転動して、装飾部材の反転傾動を確実に行うようにすることができる。
【０００７】
また、装飾部材を、シーソー軸から一方に延出する装飾アームと、この装飾アームから反対方向に延出するバランスウエイトとを有するものとすることができ、
駆動用部材を、支軸を中心に上下動する動力伝達部材と、ソレノイドのプランジャに係止される係止片とからなるものとして、動力伝達部材には、広幅の孔部と、支軸から放射状に延出する突条部を設けるとともに、係止片には、凹状の鉤部を設けて、前記突条部と鉤部とを係合させることにより、動力伝達部材がソレノイドによって上下動されるようにすることができる。
【発明の効果】
【０００８】
請求項１の発明は、装飾部材のシーソー軸の近傍に駆動軸を設け、この駆動軸を駆動用部材に設けた広幅の穴部に遊嵌したので、駆動用部材の上下動により装飾部材が反転傾動されたときに、その傾動の慣性により駆動軸が穴部の一方の内壁からこれに対応する他方の内壁に当接するまで回動されるので、その回動した角度分装飾部材をさらに大きく傾動させることができる。
【０００９】
請求項２の発明は、装飾部材の中程に設けた長円形の窪み部の中に転動体を転動可能に装入したので、装飾部材とともに窪み部が反転傾動した時に、窪み部内の上端側に位置する転動体を下端側に転動させて、装飾部材の反転傾動を確実に行うことができる。
請求項３の発明は、装飾部材を装飾アームとバランスウエイトとにより形成したので、複雑形状の装飾部材を容易に製造することができる。
請求項４の発明は、駆動用部材を、動力伝達部材と係止片とからなるものとしたので、動力伝達部材に設けた穴部の変位を大きくすることができ、装飾部材の傾動量を大きくすることができる。よって、ソレノイドを小型化できるうえに配置が容易となる。
【発明を実施するための最良の形態】
【００１０】
以下に本発明の可動装飾部品について説明する。
図１は可動装飾部品の分解斜視図、図２〜４はそれぞれ可動装飾部品の正面図、側面図、背面図である。図において、１は可動装飾部品の本体、３はソレノイド、４は装飾アーム、５はバランスウエイトである。装飾アーム５には遊技の興趣を盛り上げるような装飾が施されており、一端にシーソー軸４１を有する。シーソー軸４１は、本体１に設けた軸穴１１に本体１の表側から差し込まれている。
【００１１】
バランスウエイト５は、一端に長円形の窪み部５１が形成された基部５５を有し、その窪み部５１の底面中央が、シーソー軸４１の端部に本体１の裏側から螺着されていて、図５に示すような装飾部材２を構成している。即ち、この装飾部材２においては、シーソー軸４１から一方に装飾アーム４が延出し、この装飾アーム４から反対方向にバランスウエイト５が延出していて、装飾アーム４とバランスウエイト５とはシーソー軸４１を中心として反対傾動するように一体に組み合わされている。そして、長円形の窪み部５１は、装飾部材２とともに反転傾動可能な方向に延伸させて組み付けてある。
【００１２】
窪み部５１の開口端には、内側にわずかに突出する隆起部５３が開口端を周回して形成されている。窪み部５１の中には鋼球である転動体Ｓが嵌めこまれているが、長円形の窪み部５１の平行部は、転動体Ｓの直径よりわずかに大きい幅に形成してあるとともに、対応する隆起部５３間の幅は転動体Ｓの直径より狭く形成してある。この隆起部５３は可撓性を有するので、転動体Ｓは窪み部５１から抜け落ちることなく転動可能に嵌め込まれている。転動体Ｓは装飾部材２が反対傾動された時に、窪み部５１内を上位側端部から下位側端部に転動して傾動の慣性を大きくすることができる。
そして、窪み部５１の底面の裏側でシーソー軸４１から若干離れた位置には、ソレノイド３の駆動力により装飾部材２を傾動させるための駆動軸５２が突設されている。
【００１３】
また、図１において、６、７は駆動用部材を構成する係止片と動力伝達部材である。
係止片６は、下部にソレノイド３のプランジャ３１が嵌め込まれるプランジャ装着部６１と、上部に凹状に形成された鉤部６２とを有する。
動力伝達部材７は、支軸７１から放射方向に延出する突条部７２と、駆動軸５２が遊嵌される広幅の穴部７３とを有しており、支軸７１が本体１の裏側所要位置に軸着されていて、動力伝達部材７の上下動を可能としている。
【００１４】
係止片６と動力伝達部材７との係合状態を、図６に示す。即ち、突条部７２が、凹状の鉤部６２に嵌め込まれているので、プランジャ３１により上下動される係止片６により、動力伝達部材７を上下方向に回動させることができる。鉤部６２に突条部７２を嵌め込んだので、動力伝達部材７に設けた穴部７３の変位を大きくすることができ、装飾部材２の傾動量を大きくすることができる。よって、ソレノイド３を小型化できるうえに配置が容易となる。
【００１５】
また、動力伝達部材７と装飾部材２との係合状態を図７に示す。即ち装飾部材２の駆動軸５２が動力伝達部材７の穴部７３に遊嵌されているので、駆動軸５２はこの穴部７３の中をシーソー軸４１を中心に回動することができる。
【００１６】
以下に装飾部材２が反対傾動される状態を説明する。
図２〜４、７は、ソレノイド３が非通電となってプランジャ３１が下方に突出されて動力伝達部材７が係止片６によって最大引き下げられた状態を示す図であって、突条部７２は斜め下向きに回動されている。この状態では、駆動軸５２が穴部７３の下側内壁に当接されているとともに、窪み部５１は装飾アーム側端部が低位となっているので、転動体Ｓは装飾アーム側端部に位置している（図４）。
【００１７】
ソレノイド３が通電されてプランジャ３１が引き上げされた時には、係止片６が上方に移動されるので、動力伝達部材７が上方に回動される。即ち、突条部７２が斜め上を向く図８の状態まで回動される。この回動によって駆動軸５２が穴部７３の下側内壁により押し上げられて、装飾部材２の装飾アーム４が上方に傾動される。この状態では装飾部材２に傾動を続行する慣性が働く。また、装飾部材２の傾動により基部５５に設けた窪み部５１の傾斜が逆になるので、転動体Ｓが窪み部５１内を上位側から低位側に転動する。
【００１８】
前記慣性と転動体Ｓの転動によって傾動が続行されて、穴部７３の下側内壁に当接されていた駆動軸５２は、図９に示すように穴部７３の上側内壁に当接するまで回動されることとなる。したがって、穴部７３の下側内壁から上側内壁にまで駆動軸５２が回動された角度分だけ装飾部材２がさらに大きく傾動される。
なお、装飾部材２が転動体Ｓを有しないものであっても、シーソー軸４１の左右の重量バランスを取ってあるので、傾動の慣性により駆動軸５２を上側内壁に当接するまで穴部７３内を回動させることができるが、転動体Ｓを窪み部５１内を低位側に転動させることにより、確実に装飾部材２の反転傾動を行うことができる。即ち、図４において、窪み部５１内の装飾アーム４側の端部に位置していた転動体Ｓは、図１３に示すように、窪み部５１内のバランスウエイト５側の端部に位置するようになるので、その重量によって確実に装飾部材２を反対傾動させることができる。
【００１９】
一方、ソレノイド３が非通電となってプランジャ３１が降下した場合には、図１０に示す状態にまで、プランジャ３１の降下により装飾アーム４は下向きに回動される。即ち、動力伝達部材７が係止片６によって最大引き下げられて、突条部７２は斜め下向きに回動される。この状態では駆動軸５２は穴部７３の上側内壁に当接しているが、装飾アーム４及びバランスウエイト５に回動を続行する慣性が働く。また、装飾部材２の回動により窪み部５１の傾斜が逆になるので、転動体Ｓが窪み部５１内を上位側から低位側に転動する。
【００２０】
前記慣性と転動体Ｓの転動によって回動が続行されて、穴部７３の上側内壁に位置していた駆動軸５２は、図７に示すように穴部７３の下側内壁に当接するまで回動されることとなる。したがって、穴部７３の上側内壁から下側内壁にまで駆動軸５２が回動された角度分だけ装飾部材２がさらに大きく傾動されることとなる。転動体Ｓは再び図４に示すように、窪み部５１内の装飾アーム４側端部に位置する。
【００２１】
なお、上記した係止片６と動力伝達部材７とに代えて、これらを合体させたような図１４に示す形状の駆動用部材８を用いることもできる。この駆動用部材８は、下部にプランジャ３１が差し込まれるプランジャ装着部８１と、上部に駆動軸５２が遊嵌される広幅の穴部８２とを有している。
【００２２】
以上に説明したように、装飾部材２の反対傾動時の慣性により駆動軸４１を穴部７３内を回動させることができるので、装飾部材２をその分大きく傾動させることができる。よって、本発明の可動装飾部品は、ソレノイド３を大型化する必要がないという大きな利点を有する。
【図面の簡単な説明】
【００２３】
【図１】本発明の可動装飾部品の分解斜視図である。
【図２】装飾アームが下方に傾動された状態の可動装飾部品の正面図である。
【図３】図２の可動装飾部品の側面図である。
【図４】図２の可動装飾部品の背面図である。
【図５】装飾部材の構造を示す背面図である。
【図６】係止片と駆動用部材との係合状態を示す説明図である。
【図７】装飾アームが下方に傾動完了した装飾部材の説明図である。
【図８】装飾アームが上方に傾動途中にある装飾部材の説明図である。
【図９】装飾アームが上方に傾動完了した装飾部材の説明図である。
【図１０】装飾アームが下方に傾動途中にある装飾部材の説明図である。
【図１１】装飾アームが上方に傾動完了した状態の可動装飾部品の正面図である。
【図１２】図１１の可動装飾部品の側面図である。
【図１３】図１１の可動装飾部品の背面図である。
【図１４】駆動用部材の斜視図である。
【符号の説明】
【００２４】
２  装飾部材、７  動力伝達部材、４１  シーソー軸、５２  駆動軸、７１  支軸、７３  広幅の穴部
【図１】
2007089890.tif 000003
【図２】
2007089890.tif 000004
【図３】
2007089890.tif 000005
【図４】
2007089890.tif 000006
【図５】
2007089890.tif 000007
【図６】
2007089890.tif 000008
【図７】
2007089890.tif 000009
【図８】
2007089890.tif 000010
【図９】
2007089890.tif 000011
【図１０】
2007089890.tif 000012
【図１１】
2007089890.tif 000013
【図１２】
2007089890.tif 000014
【図１３】
2007089890.tif 000015
【図１４】
2007089890.tif 000016